(57)【要約】【課題】生コンクリート内への挿入が簡単にできて、コンクリートの固化時にも安定状態を維持することができ、しかも基礎等のコンクリート構造物の天端出しが簡単に行える天端位置決め具を提供すること。【解決手段】コンクリート２０上に載置されることになる板状の基部１１と、この基部１１の裏面に一体化した複数の挿入部１２と、基部１１上に形成したネジ溝１３とにより構成したこと。【選択図】図１
2006328778.tif 000002
【特許請求の範囲】
【請求項１】
コンクリートを打設して形成されるコンクリート構造物の天端面を決めるための天端位置決め具であって、
前記コンクリート上に載置されることになる板状の基部と、この基部の裏面に一体化した複数の挿入部と、前記基部上に形成したネジ溝とにより構成したことを特徴とする天端位置決め具。
【請求項２】
前記ネジ溝に位置決めネジを取り付けたことを特徴とする請求項１に記載の天端位置決め具。
【発明の詳細な説明】
【技術分野】
【０００１】
本発明は、コンクリートを打設して構築される土台や基礎等のコンクリート構造物を施工する際に利用されて、このコンクリート構造物の天端面を規定するために使用される天端位置決め具に関するものである。
【背景技術】
【０００２】
例えば、完全に水平な天端上面が必要な基礎をコンクリートによって構築する場合、コンクリートが固化する際の収縮や骨材の存在等によって、打設面が完全な平面にはならないことに注意が必要である。そこで、一般的には、図１にも示すように、まずコンクリートによって設計天端よりも少し低い天端のコンクリート構造物を施工し、その上に、モルタルを打設してコテで均して天端面を形成するか、流動性に優れて完全な平面が形成できる「レベリング材」を流し込み、このレベリング材によって完全水平な天端面を形成するようにしている。なお、レベリング材は、生コンクリートの流動性を良くしたものと考えればよいものであるが、コンクリート程の収縮がないものである。
【０００３】
このようなモルタルのコテ均しは勿論、レベリング材の流し込みにあたっては、当然にその流し量が問題であり、設計された通りの水平面（天端面）を形成するようにしなければならない。そこで、従来では、特許文献１〜特許文献２に記載されているような位置決め具が採用されてきているのである。
【特許文献１】特開平１０−２５２２７８号公報、要約、代表図
【特許文献２】特開平０７−１８９４８９号公報、要約、代表図
【発明の開示】
【発明が解決しようとする課題】
【０００４】
特許文献１に記載された「柱脚・土台のレベル調整金具」は、「柱脚や土台を基礎コンクリート上へ設置する際のレベル出しが容易で、しかも安価なレベル出し金具を提供する」ことを目的としてなされたもので、図５に示すように、「基礎コンクリート１１へ埋設される高ナット１の下端へ、その高ナット１のネジ穴３を塞ぐとともに沈下防止用の底板２を固着し、かつ、高ナット１の上端から、廻り止めナット５を螺合した調整ボルト４をねじ込むようにしたもの」といった構成を有したものである。
【０００５】
この特許文献１の「柱脚・土台のレベル調整金具」は、「沈下防止用の底板２」を有するものであって、この「沈下防止用の底板２」によって「高ナット１」を垂直に支持するようにしたものである。つまり、この特許文献１の「レベル調整金具」は、「沈下防止用の底板２」を打設された直後のコンクリート内に挿入するものであり、この挿入は「底板２」がコンクリート内の骨材に邪魔されて非常に困難になると考えられる。
【０００６】
また、特許文献２に記載された「天端出し補助具」は、「基礎工事での基礎の天端ならしに際して利用される天端出し装置の補助具において天端出し補助具の、コンクリートないしはモルタルへの埋入を容易にし、天端出し作業の簡易化ないしは天端ならしの高精度を実現する」ことを目的として、図６に示すように、「長手棒状の補助具本体に、その上端部に開口する受ネジ穴を具備させ、この受ネジ穴に調整ネジ体を進退可能に螺合させると共に、補助具本体１の上部に、補助具本体に対し直角方向、水平に延びる上羽根部２が付設され、補助具本体の下部に、補助具本体に対し直角方向、垂直に延び且つ下向きに先鋭に設けられた下羽根部が付設されてなる」構成を有したものである。
【０００７】
しかしながら、この特許文献２に記載された「天端出し補助具」では、「補助具本体の下部に、補助具本体に対し直角方向、垂直に延び且つ下向きに先鋭に設けられた下羽根部３」が付設してあるため、この「下羽根部３」が、上述した特許文献１の「底板２」と同様に、当該補助具のコンクリート内への挿入を非常に困難にするものと思われる。
【０００８】
そこで、本発明者等は、簡単に構成できて、生コンクリート内への挿入が簡単でコンクリートの固化時にも安定しており、基礎等のコンクリート構造物の天端出しが簡単に行えるような治具とするにはどうしたらよいか、について種々検討を重ねてきた結果、本発明を完成したのである。
【０００９】
すなわち、本発明の目的とするところは、生コンクリート内への挿入が簡単にできて、コンクリートの固化時にも安定状態を維持することができ、しかも基礎等のコンクリート構造物の天端出しが簡単に行える天端位置決め具を提供することにある。
【課題を解決するための手段】
【００１０】
以上の課題を解決するために、まず、請求項１に係る発明の採った手段は、後述する最良の形態の説明中において使用する符号を付して説明すると、
「コンクリート２０を打設して形成されるコンクリート構造物の天端面を決めるための天端位置決め具１０であって、
コンクリート２０上に載置されることになる板状の基部１１と、この基部１１の裏面に一体化した複数の挿入部１２と、基部１１上に形成したネジ溝１３とにより構成したことを特徴とする天端位置決め具１０」
である。
【００１１】
すなわち、この請求項１に係る天端位置決め具１０は、図１及び図２に示すように、一枚の基部１１の裏面に、複数（後述する最良形態では３本または４本）の挿入部１２を一体化し、基部１１の中心に位置決めネジ１４をネジ込むためのネジ溝１３を形成したという単純な形状のものである。
【００１２】
基部１１は、図１〜図３、及び図４の（イ）に示すような平板状のものであってもよいが、図４の（ロ）に示すように、所謂波形形状のものに形成して実施してもよく、また図４の（ハ）に示すように、角部が上下交互に連続するものにして実施してもよい。この場合、上方に突出する部分に、前述したネジ溝１３を形成して実施するとよい。このような各基部１１は、図２中の実線にて示した打設直後のコンクリート２０の上面２２上に載置されるか、あるいは、図２中の仮想線にて示した埋設上面２２ａ下側に埋設されることになるものである。
【００１３】
また、この天端位置決め具１０の各挿入部１２は、打設直後のコンクリート２０内に差し込んで上記の基部１１を安定させるものであるから、その下端が尖ったものとなる棒状のものに形成して実施してもよいが、図３の（イ）〜（ロ）の各右側に示したもののように、板状のものとして形成して実施してもよいものである。なお、各挿入部１２はコンクリート２０内に差し込まれるものであるから、「下端」とは、図２にも示すように、この差し込まれていく部分をいうものであり、「上端」とはその反対側、つまり基部１１に一体化されている部分を言うものである。
【００１４】
そして、この天端位置決め具１０においては、上述したような基部１１に挿入部１２を複数一体化した形状を有しているが、これらの各挿入部１２の下端部は、棒状であろうと板状であろうと、尖ったものとした方が有利である。各挿入部１２の下端が尖っていると、打設直後の生コンクリート２０内に挿入する際に、挿入の邪魔になる骨材を押し退ける作用を発揮するのであり、また、これらの挿入部１２が複数あるということは、これらの間に押し退けた骨材の存在空間を確保することになることになるから、これらの挿入部１２は挿入を容易にするという重要な機能を発揮するのである。
【００１５】
また、各挿入部１２は、棒状の細いもの、あるいは薄い板状のものとして形成することができるため、生コンクリート２０から浮き上がってしまう程の浮力を発生させることもない。
【００１６】
さらに、各挿入部１２は、鉛直方向を軸とするネジ溝１３に位置決めネジ１４をネジ込む場合に発生する回転力に対する抵抗力を発揮し、打設されたコンクリート２０が固化すればこれに対する一体化が確実にできるから、位置決めネジ１４の回転調整操作を安定して行うことができる。
【００１７】
ネジ溝１３は、図１中の実線にて示すように、上述した基部１１に直接形成して実施してもよいが、図１中の仮想線にて示すように、このネジ溝１３上に補助溝１３ａを形成するようにして実施してもよい。この補助溝１３ａは、ネジ１４のネジ込みを安定化させるのに役立つものである。
【００１８】
なお、この請求項１の天端位置決め具１０は、位置決めネジ１４を有してはいないが、ネジ溝１３の形状を一般的に市販されている位置決めネジ１４に合うものとしておけば、別に用意したネジを使用することができる。
【００１９】
従って、この請求項１の天端位置決め具１０は、生コンクリート２０内への挿入が簡単にできて、コンクリート２０の固化時にも安定状態を維持することができ、しかも基礎等のコンクリート構造物の天端出しが簡単に行えるものとなっているのである。
【００２０】
上記課題を解決するために、請求項２に係る発明の採った手段は、上記請求項１に記載の天端位置決め具１０について、
「ネジ溝１３に位置決めネジ１４を取り付けたこと」
である。
【００２１】
すなわち、この請求項２の天端位置決め具１０は、上述したネジ溝１３に位置決めネジ１４を取り付けたものであり、この位置決めネジ１４のネジ溝１３に対する進退量を調整することにより、設計されたレベリング材２１の表面位置をその上端で示すようにするものである。
【００２２】
従って、この請求項２の天端位置決め具１０も、生コンクリート２０内への挿入が簡単にできて、コンクリート２０の固化時にも安定状態を維持することができ、しかも基礎等のコンクリート構造物の天端出しが簡単に行えるものとなっているのである。
【発明の効果】
【００２３】
以上、詳述した通り、本発明においては、
「コンクリート２０を打設して形成されるコンクリート構造物の天端面を決めるための天端位置決め具１０であって、
コンクリート２０上に載置されることになる板状の基部１１と、この基部１１の裏面に一体化した複数の挿入部１２と、基部１１上に形成したネジ溝１３とにより構成したこと」
にその構成上の特徴があり、これにより、生コンクリート２０内への挿入が簡単にできて、コンクリート２０の固化時にも安定状態を維持することができ、しかも基礎等のコンクリート構造物の天端出しが簡単に行える天端位置決め具１０を提供することができるのである。
【発明を実施するための最良の形態】
【００２４】
次に、上記のように構成した各発明を、図面に示した最良の形態である天端位置決め具１０について説明すると、図１には、本発明に係る天端位置決め具１０の斜視図が示してある。
【００２５】
この天端位置決め具１０は、一枚の基部１１と、この基部１１の裏面に一体化した複数（３本または４本）の挿入部１２と、基部１１の中央に形成したネジ溝１３とを備えたものである。なお、この天端位置決め具１０は、その全体をプラスチックスを材料として一体成形して実施してもよいが、各部材を金属によって形成して実施てもよい。勿論、ネジ溝１３としては、これと同様な機能を有した金属製のナットのようなメネジ部材を使用して実施してもよいものであり、このようなメネジ部材を使用する場合には、これを当該天端位置決め具１０の基部１１中心にインサート成形あるいは溶接すればよい。
【００２６】
基部１１は、これを平面的見た場合、図３の（イ）に示したような円板状にして実施することは勿論、図３の（ロ）に示したような三角板状にしたり、あるいは、図３の（ハ）に示したような四角板状にして実施してもよいものである。そして、この基部１１は、その裏面に複数の挿入部１２を一体化するとともに、その上に上述したネジ溝１３を形成したのである。勿論、このネジ溝１３は、基部１１の上であればどこに形成してもよいが、最も作業性がよく安定したものとするには、中心部であったり、複数のネジ溝１３を形成するようにするとよい。
【００２７】
また、この基部１１は、これを平面的にみた場合に、直径または一辺の長さが５ｃｍ〜１０ｃｍ程度となるようにしたものであり、厚さについては、０．１ｍｍ〜１ｍｍ程度と薄く形成したものである。また、各挿入部１２については、長さが５ｃｍ〜１０ｃｍ程度となるようにしたものである。
【００２８】
位置決めネジ１４については、市販されているものを使用したもので、深さ２ｃｍ〜５ｃｍ程度のネジ溝１３に対して螺合できるものである。勿論、この位置決めネジ１４のネジ溝１３に対するネジ込み量によってその上端の位置調整を行い、この調整された位置決めネジ１４の上端により、コンクリート２０上に打設されるレベリング材２１の面位置の指示を行うのであるから、十分長いものを使用すると有利である。
【図面の簡単な説明】
【００２９】
【図１】本発明に係る天端位置決め具の拡大斜視図である。
【図２】同天端位置決め具の２つをコンクリート内に挿入して、その上にレベリング材を打設した状態の断面図である。
【図３】同天端位置決め具を構成している基部の形状の例として、（イ）〜（ハ）の三種類を例示した底面図であり、（イ）〜（ハ）の各図において、図示右側には板状の挿入部を有するものを、また図示左側には棒状の挿入部を有するものを示している。
【図４】同基部の形状の例として、（イ）〜（ハ）の三種類を例示した側面図である。
【図５】従来の技術を示す斜視図である。
【図６】従来の他の技術を示す拡大正面図である。
【符号の説明】
【００３０】
１０    天端位置決め具
１１    基部
１２    挿入部
１３    ネジ溝
１３ａ  補助溝
１４    位置決めネジ
２０    コンクリート
２１    レベリング材
２２    上面
２２ａ  埋設上面
【図１】
2006328778.tif 000003
【図２】
2006328778.tif 000004
【図３】
2006328778.tif 000005
【図４】
2006328778.tif 000006
【図５】
2006328778.tif 000007
【図６】
2006328778.tif 000008